(57)【要約】【課題】炊飯工程内容等を表示する液晶表示素子を照らすバックライトを有する炊飯器において、炊飯や保温等の動作を行わず、電子回路に供給する不要な電力を停止している待機状態のときは、バックライトの消費電力を低減する。【解決手段】内鍋１４を駆動手段１６により駆動する加熱手段１５により加熱し、マイクロコンピュータ１９により炊飯器の動作を制御する。商用電源１７を電源供給手段１８により直流電力に変換し、駆動手段１６に電力を供給する第二の出力電圧Ｖ２を出力し、通電切換手段２２により駆動手段１６に第二の出力電圧Ｖ２の電力供給状態または電力供給停止状態に切り換える。現在時刻や炊飯工程内容等を表示する液晶表示素子２３の後面にバックライト２４を設け、通電切換手段２２が第二の出力電圧Ｖ２の電力供給を停止している状態のとき、第一のバックライト制御手段２５によりバックライト２４を消灯するよう構成する。【選択図】　図１
2004141542.tif 000002
【特許請求の範囲】
【請求項１】
炊飯器本体内部に設置され調理物を入れる内鍋と、前記内鍋を加熱する加熱手段と、前記加熱手段を駆動する駆動手段と、炊飯器の動作を制御するマイクロコンピュータと、前記マイクロコンピュータをバックアップするバックアップ手段と、前記マイクロコンピュータに所定の信号を入力する入力手段と、商用電源を直流電力に変換し少なくとも前記マイクロコンピュータと前記入力手段に電力を供給する第一の出力電圧Ｖ１と少なくとも前記駆動手段に電力を供給する第二の出力電圧Ｖ２を出力する電源供給手段と、前記電源供給手段の前記第二の出力電圧Ｖ２とその第二の出力電圧Ｖ２に接続される前記駆動手段等の負荷との間に配置し前記第二の出力電圧Ｖ２からの電力供給を可能とする通電状態または電力供給を停止する停止状態に切り換える通電切換手段と、現在時刻や炊飯工程内容等を表示する液晶表示素子と、前記液晶表示素子の後面に設け液晶表示素子を照らすバックライトと、前記通電切換手段が第二の出力電圧Ｖ２の電力供給を停止している状態のとき前記バックライトを消灯する第一のバックライト制御手段とを備えた炊飯器。
【請求項２】
第一のバックライト制御手段によりバックライトを消灯したとき、報知音を鳴らす第一の報知手段を付加した請求項１記載の炊飯器。
【請求項３】
第一のバックライト制御手段に代えて、通電切換手段が第二の出力電圧Ｖ２の電力供給を停止している状態のときバックライトの明るさを暗くする第二のバックライト制御手段を備えた請求項１記載の炊飯器。
【請求項４】
第二のバックライト制御手段によりバックライトの明るさを暗くしたとき、報知音を鳴らす第二の報知手段を付加した請求項３記載の炊飯器。
【請求項５】
第一のバックライト制御手段に代えて、通電切換手段が第二の出力電圧Ｖ２の電力供給を停止している状態のときバックライトの色を変化させる第三のバックライト制御手段を備えた請求項１記載の炊飯器。
【請求項６】
第三のバックライト制御手段によりバックライトの色を変化させたとき、報知音を鳴らす第三の報知手段を付加した請求項５記載の炊飯器。
【請求項７】
第一のバックライト制御手段に代えて、通電切換手段が第二の出力電圧Ｖ２の電力供給を停止している状態のときバックライトを点滅させる第四のバックライト制御手段を備えた請求項１記載の炊飯器。
【請求項８】
第四のバックライト制御手段によりバックライトを点滅させたとき、報知音を鳴らす第四の報知手段を付加した請求項７記載の炊飯器。
【請求項９】
第四のバックライト制御手段に代えて、通電切換手段が第二の出力電圧Ｖ２の電力供給を停止している状態のときバックライトの点滅周期を変更しバックライトが消灯している時間を長くする第五のバックライト制御手段を備えた請求項７記載の炊飯器。
【請求項１０】
第五のバックライト制御手段によりバックライトの点滅周期を変更しバックライトが消灯している時間を長くしたとき、報知音を鳴らす第五の報知手段を付加した請求項９記載の炊飯器。
【発明の詳細な説明】
【０００１】
【発明の属する技術分野】
本発明は、現在時刻や炊飯工程内容等を表示する液晶表示素子を照らすバックライトを有する炊飯器に関するものである。
【０００２】
【従来の技術】
最近は、より見やすい表示で操作性のよい炊飯器が求められてきている。またそれに加えて省エネルギ性能も要求されている。
【０００３】
従来から、炊飯器の表示部を見やすくするために液晶表示素子の後面にバックライトを設けることがしばしば行われ、図９に示すように構成していた。以下、その構成および動作について説明する。
【０００４】
図９に示すように、加熱コイル１は、内鍋（図示せず）を電磁誘導加熱（以下、ＩＨという）するものである。商用電源２から交流が供給され、ダイオードブリッジ３によって整流し、平滑コンデンサ４、共振コンデンサ５、スイッチング素子６、加熱コイル１よりなるインバータ回路により、ＩＨのための高周波電力を発生させる。
【０００５】
電力値の制御は電源電流を制御することによって行っている。まず、カレントトランス７の一次側に電源電流が入力される。そしてカレントトランス７の二次側の出力値を分圧、整流、平滑し、ＩＨ制御用ＩＣ８に入力する。ＩＨ制御用ＩＣ８は電源電流が一定になるよう制御し、ＩＨ出力を調整している。
【０００６】
回路電源は商用電源２から交流が供給され、分圧、整流、平滑後に電源ＩＣ９に入力することにより作られている。電源ＩＣ９によって作られた電圧Ｖ２はＩＨ制御用ＩＣ８の電源として使われている。また、電圧Ｖ２を三端子レギュレータ１０によって電圧Ｖ１を作り、電圧Ｖ１はマイクロコンピュータ（以下、マイコンという）１１や入力回路などの電源として使用する。マイコン１１により液晶表示素子１２や発光ダイオード１３を制御しており、液晶表示素子１２の後面に発光ダイオード１３を設置し、バックライトとして使用している（例えば、特許文献１参照）。
【０００７】
【特許文献１】
特開平０７−２２２６７５号公報（第３−４頁、図１）
【０００８】
【発明が解決しようとする課題】
このような従来の構成では、炊飯器が実際に炊飯や保温等の動作を行っていない待機状態でも、炊飯器が商用電源２に接続されている限り、電源回路からマイコン１１や駆動回路等の電子回路に電力が供給され、電力が無駄に消費されるといった問題があり、それを回避するために炊飯器内の電子回路に供給する不要な電力を停止する機能を組み込んだ炊飯器においては、前記のような不要な電力停止中にバックライトを点灯していると余計な電力を消費してしまうといった問題があった。
【０００９】
本発明は上記従来の課題を解決するもので、炊飯器が炊飯や保温等の動作を行わず、炊飯器内の電子回路に供給する不要な電力を停止している待機状態のときは、バックライトの消費電力を低減することを目的としている。
【００１０】
【課題を解決するための手段】
本発明は上記目的を達成するために、炊飯器本体内部に設置され調理物を入れる内鍋を駆動手段により駆動する加熱手段により加熱し、炊飯器の動作を制御するマイコンをバックアップ手段によりバックアップし、マイコンに入力手段より所定の信号を入力し、商用電源を電源供給手段により直流電力に変換して、少なくともマイコンと入力手段に電力を供給する第一の出力電圧Ｖ１と少なくとも駆動手段に電力を供給する第二の出力電圧Ｖ２を出力し、電源供給手段の第二の出力電圧Ｖ２とその出力電圧Ｖ２に接続される駆動手段等の負荷との間に通電切換手段を配置して第二の出力電圧Ｖ２からの電力供給を可能とする通電状態または電力供給を停止する停止状態に切り換え、現在時刻や炊飯工程内容等を表示する液晶表示素子の後面にバックライトを設けて液晶表示素子を照らし、通電切換手段が第二の出力電圧Ｖ２の電力供給を停止している状態のとき、第一のバックライト制御手段によりバックライトを消灯するよう構成したものである。
【００１１】
これにより、炊飯器が炊飯や保温等の動作を行わず、炊飯器内の電子回路に供給する不要な電力を停止している待機状態のときは、バックライトの消費電力を低減することができる。
【００１２】
【発明の実施の形態】
本発明の請求項１に記載の発明は、炊飯器本体内部に設置され調理物を入れる内鍋と、前記内鍋を加熱する加熱手段と、前記加熱手段を駆動する駆動手段と、炊飯器の動作を制御するマイコンと、前記マイコンをバックアップするバックアップ手段と、前記マイコンに所定の信号を入力する入力手段と、商用電源を直流電力に変換し少なくとも前記マイコンと前記入力手段に電力を供給する第一の出力電圧Ｖ１と少なくとも前記駆動手段に電力を供給する第二の出力電圧Ｖ２を出力する電源供給手段と、前記電源供給手段の前記第二の出力電圧Ｖ２とその第二の出力電圧Ｖ２に接続される前記駆動手段等の負荷との間に配置し前記第二の出力電圧Ｖ２からの電力供給を可能とする通電状態または電力供給を停止する停止状態に切り換える通電切換手段と、現在時刻や炊飯工程内容等を表示する液晶表示素子と、前記液晶表示素子の後面に設け液晶表示素子を照らすバックライトと、前記通電切換手段が第二の出力電圧Ｖ２の電力供給を停止している状態のとき前記バックライトを消灯する第一のバックライト制御手段とを備えたものであり、通電切換手段により電源供給手段の第二の出力電圧Ｖ２の電力供給を停止している状態のとき、すなわち、炊飯器が炊飯や保温等の動作を行わず、炊飯器内の電子回路に供給する不要な電力を停止している待機状態のときは、第一のバックライト制御手段によりバックライトを消灯することにより、バックライトの消費電力を削減することができる。
【００１３】
請求項２に記載の発明は、上記請求項１に記載の発明において、第一のバックライト制御手段によりバックライトを消灯したとき、報知音を鳴らす第一の報知手段を付加したものであり、第一の報知手段によりバックライトが消えたことを報知し、バックライトが消えることで多少視認性が落ちるので、表示を見るときはより注意して見るよう喚起することができ、使い勝手を向上することができる。
【００１４】
請求項３に記載の発明は、上記請求項１に記載の発明において、第一のバックライト制御手段に代えて、通電切換手段が第二の出力電圧Ｖ２の電力供給を停止している状態のときバックライトの明るさを暗くする第二のバックライト制御手段を備えたものであり、通電切換手段により電源供給手段の第二の出力電圧Ｖ２の電力供給を停止している状態のとき、すなわち、炊飯器が炊飯や保温等の動作を行わず、炊飯器内の電子回路に供給する不要な電力を停止している待機状態のときは、第二のバックライト制御手段によりバックライトの明るさを調整することにより、消費電力を低減することができる。
【００１５】
請求項４に記載の発明は、上記請求項３に記載の発明において、第二のバックライト制御手段によりバックライトの明るさを暗くしたとき、報知音を鳴らす第二の報知手段を付加したものであり、第二の報知手段によりバックライトが暗くなったことを報知し、バックライトが暗くなったことで多少視認性が落ちるので、表示を見るときはより注意して見るよう喚起することができ、使い勝手を向上することができる。
【００１６】
請求項５に記載の発明は、上記請求項１に記載の発明において、第一のバックライト制御手段に代えて、通電切換手段が第二の出力電圧Ｖ２の電力供給を停止している状態のときバックライトの色を変化させる第三のバックライト制御手段を備えたものであり、通電切換手段により電源供給手段の第二の出力電圧Ｖ２の電力供給を停止している状態のとき、すなわち、炊飯器が炊飯や保温等の動作を行わず、炊飯器内の電子回路に供給する不要な電力を停止している待機状態のときは、第三のバックライト制御手段によりバックライトの色を点灯するのに電力消費の少ない色に変化させることにより、バックライトの消費電力を低減することができる。
【００１７】
請求項６に記載の発明は、上記請求項５に記載の発明において、第三のバックライト制御手段によりバックライトの色を変化させたとき、報知音を鳴らす第三の報知手段を付加したものであり、第三の報知手段によりバックライトの色が変わったことを報知し、バックライトの色の変化で多少視認性が落ちたとき、表示を見るときはより注意して見るよう喚起することができ、使い勝手を向上することができる。
【００１８】
請求項７に記載の発明は、上記請求項１に記載の発明において、第一のバックライト制御手段に代えて、通電切換手段が第二の出力電圧Ｖ２の電力供給を停止している状態のときバックライトを点滅させる第四のバックライト制御手段を備えたものであり、通電切換手段により電源供給手段の第二の出力電圧Ｖ２の電力供給を停止している状態のとき、すなわち、炊飯器が炊飯や保温等の動作を行わず、炊飯器内の電子回路に供給する不要な電力を停止している待機状態のときは、第四のバックライト制御手段によりバックライトを点滅させることにより、バックライトの点灯時間を短くでき、バックライトの消費電力を低減することができる。
【００１９】
請求項８に記載の発明は、上記請求項７に記載の発明において、第四のバックライト制御手段によりバックライトを点滅させたとき、報知音を鳴らす第四の報知手段を付加したものであり、第四の報知手段によりバックライトが点滅したことを報知し、バックライトの点滅により多少視認性が落ちたとき、表示を見るときはより注意して見るよう喚起することができ、使い勝手を向上することができる。
【００２０】
請求項９に記載の発明は、上記請求項７に記載の発明において、第四のバックライト制御手段に代えて、通電切換手段が第二の出力電圧Ｖ２の電力供給を停止している状態のときバックライトの点滅周期を変更しバックライトが消灯している時間を長くする第五のバックライト制御手段を備えたものであり、通電切換手段により電源供給手段の第二の出力電圧Ｖ２の電力供給を停止している状態のとき、すなわち、炊飯器が炊飯や保温等の動作を行わず、炊飯器内の電子回路に供給する不要な電力を停止している待機状態のときは、第五のバックライト制御手段によりバックライトの点滅周期を変えることにより、バックライトの点灯時間を短くでき、バックライトの消費電力を低減することができる。
【００２１】
請求項１０に記載の発明は、上記請求項９に記載の発明において、第五のバックライト制御手段によりバックライトの点滅周期を変更しバックライトが消灯している時間を長くしたとき、報知音を鳴らす第五の報知手段を付加したものであり、第五の報知手段によりバックライトの点滅周期が変化していることを報知し、バックライトの点灯している時間が短くなったことにより多少視認性が落ちたとき、表示を見るときはより注意して見るよう喚起することができ、使い勝手を向上することができる。
【００２２】
【実施例】
以下、本発明の実施例について、図面を参照しながら説明する。
【００２３】
（実施例１）
図１に示すように、内鍋１４は、炊飯器本体（図示せず）内部に設置し、調理物を入れ、駆動手段１６により駆動される加熱手段１５によって加熱する。商用電源１７は加熱手段１５と電源供給手段１８に電源を供給し、電源供給手段１８は第一の出力電圧Ｖ１と第二の出力電圧Ｖ２を形成して出力している。第一の出力電圧Ｖ１はマイコン１９、入力手段２０等に電力を供給して動作させる。マイコン１９は炊飯器の動作を制御するものであり、入力手段２０はマイコン１９に所定の信号を入力するものである。
【００２４】
また、マイコン１９は停電や、電源プラグ（図示せず）がコンセントより外れたことにより、商用電源１７からの電源供給が停止した場合、バックアップ手段２１により電源を供給するよう構成している。
【００２５】
第二の出力電圧Ｖ２は、駆動手段１６に電力を供給するもので、通電切換手段２２を通して駆動手段１６に電力を供給している。通電切換手段２２は、電源供給手段１８の第二の出力電圧Ｖ２と駆動手段１６との間に配置し、第二の出力電圧Ｖ２からの電力供給を可能とする通電状態、または電力供給を停止する停止状態に切り換えるものである。
【００２６】
マイコン１９は、炊飯器の動作を制御するとともに、通電切換手段２２を制御することによって、炊飯器が炊飯や保温等の動作を行わず、炊飯器内の電子回路に供給する不要な電力を停止している待機状態のときは、駆動手段１６への出力電圧Ｖ２の供給を停止して消費電力を低減し、入力手段２０からの入力で他のモード、例えば炊飯や保温になると駆動手段１６へ第二の出力電圧Ｖ２を供給して内鍋１４をＩＨ加熱する。そして、炊飯や保温終了後、待機状態になると、すぐにまたは待機状態になってから一定時間後に、再び駆動手段１６への第二の出力電圧Ｖ２の供給を停止することによって待機時の消費電力を低減するようにしている。
【００２７】
また、マイコン１９は、液晶表示素子２３にメニューや炊飯工程、現在時刻など炊飯や保温に必要な情報を表示する。バックライト２４は液晶表示素子２３の後面に設置し、液晶表示素子２３を照らして視認性を向上させる。
【００２８】
第一のバックライト制御手段２５は、通電切換手段２２により駆動手段１６への第二の出力電圧Ｖ２の供給を停止しているときはバックライト２４を消灯させ、待機時の消費電力を低減するものである。第一の報知手段２６は、バックライト２４が点灯状態から消灯状態へ変化したときに報知を行い、使用者にバックライト２４が消灯したことを知らせるものである。
【００２９】
図２は本実施例の回路図であり、加熱コイル２７は、内鍋１４をＩＨ加熱するもので、商用電源１７から供給された交流電圧をダイオードブリッジ２８によって整流し、平滑コンデンサ２９、共振コンデンサ３０、スイッチング素子３１、加熱コイル２７よりなるインバータ回路により、ＩＨのための高周波電力を発生させ、内鍋１４をＩＨ加熱する。ここで、インバータ回路は、図１の加熱手段１５を構成している。
【００３０】
ここで、電力値の制御は電源電流を制御することによって行っている。まず、カレントトランス３２の一次側に電源電流を入力し、カレントトランス３２の二次側の出力値を分圧、整流、平滑して、ＩＨ制御用ＩＣ３３に入力する。ＩＨ制御用ＩＣ３３は電源電流が一定になるように制御し、ＩＨ出力を調整している。
【００３１】
電源ＩＣ３４は、電源供給手段１８を構成するもので、商用電源１７からの交流電圧を分圧、整流、平滑して電源ＩＣ３４に入力し、回路電源として第一の出力電圧Ｖ１と第二の出力電圧Ｖ２を出力している。第一の出力電圧Ｖ１はマイコン１９や入力手段２０を構成するスイッチ３５などの電源として使用し、第二の出力電圧Ｖ２は、駆動手段１６を構成するＩＨ制御用ＩＣ３３の電源として使用している。
【００３２】
電源ＩＣ３４は、上述のように、電源供給手段１８を構成するとともに、通電切換手段２２をも構成しており、マイコン１９より電源ＩＣ３４に信号を出力して制御することによって、炊飯器が炊飯や保温等の動作を行わず、炊飯器内の電子回路に供給する不要な電力を停止している待機状態のときは、ＩＨ制御用ＩＣ３３への第二の出力電圧Ｖ２の供給を停止して消費電力を低減し、スイッチ３５からの入力で他のモード、例えば炊飯や保温になると、ＩＨ制御用ＩＣ３３へ第二の出力電圧Ｖ２を供給し、ドライブＩＣ３９を介してインバータ回路を動作させ、内鍋１４をＩＨ加熱するよう構成している。
【００３３】
電池３６は、バックアップ手段２１を構成するもので、商用電源１７の停電や、電源プラグ（図示せず）がコンセントより外れたことにより、商用電源１７からの電源供給が停止した場合などにマイコン１９の電源バックアップとして働くようにしている。
【００３４】
発光ダイオード３７は、バックライト２４を構成するもので、液晶表示素子２３の後面に設置している。マイコン１９は、第一のバックライト制御手段２５も構成しており、液晶表示素子２３と発光ダイオード３７を制御するようにしている。ここで、マイコン１９は、ＩＨ制御用ＩＣ３３へ第二の出力電圧Ｖ２の供給を止めているときは、発光ダイオード３７を消灯させることにより待機時の消費電力を低減している。ブザー３８は、第一の報知手段２６を構成するもので、マイコン１９により発光ダイオード３７を消灯させたとき鳴動し、使用者に注意を喚起するようにしている。
【００３５】
上記構成において動作を説明する。炊飯器本体内部に設置された内鍋１４に調理物を入れ、商用電源に接続して交流電圧を印加すると、商用電源１７からの交流電圧を分圧、整流、平滑して電源ＩＣ３４に入力し、回路電源として第一の出力電圧Ｖ１と第二の出力電圧Ｖ２を作る。このとき、同時に、商用電源１７から供給された交流電圧をダイオードブリッジ２８によって整流し、平滑コンデンサ２９、共振コンデンサ３０、スイッチング素子３１、加熱コイル２７よりなるインバータ回路に電圧を印加している。
【００３６】
この状態でスイッチ３５をオンすると、ＩＨ制御用ＩＣ３３へ第二の出力電圧Ｖ２を供給し、ドライブＩＣ３９を介してインバータ回路を動作させて内鍋１４をＩＨ加熱し、マイコン１９のプログラムに基づいて、内鍋１４内の調理物を炊飯し、保温する。
【００３７】
このとき、マイコン１９は液晶表示素子２３にメニューや炊飯工程、現在時刻など炊飯や保温に必要な情報を表示するとともに、液晶表示素子２３の後面に設置した発光ダイオード３７を点灯し、液晶表示素子２３を照らして視認性を向上する。
【００３８】
つぎに、炊飯や保温終了後、待機状態になると、すぐにまたは待機状態になってから一定時間後に、マイコン１９より電源ＩＣ３４に信号を出力し、ＩＨ制御用ＩＣ３３への第二の出力電圧Ｖ２の供給を停止して消費電力を低減する。このとき、マイコン１９は、発光ダイオード３７を消灯させ、待機時の消費電力を低減するとともに、ブザー３８を鳴動させて、使用者に注意を喚起することができる。
【００３９】
このように本実施例によれば、通電切換手段２２を構成する電源ＩＣ３４より第二の出力電圧Ｖ２の電力供給を停止している状態のとき、バックライト２４を構成する発光ダイオード３７を消灯することにより、炊飯器が炊飯や保温等の動作を行わない待機状態では、発光ダイオード３７の消費電力を削減することができる。
【００４０】
また、発光ダイオード３７を消灯したとき、ブザー３８を鳴動させることにより、発光ダイオード３７が消えることで多少視認性が落ちるので、表示を見るときはより注意して見るよう喚起することができ、使い勝手を向上することができる。
【００４１】
（実施例２）
図３に示すように、第二のバックライト制御手段３９は、通電切換手段２２が駆動手段１６への第二の出力電圧Ｖ２の電力供給を停止している状態のとき、バックライト２４の明るさを暗くし、待機時の消費電力を低減するものである。第二の報知手段４０は、バックライト２４の明るさを暗くしたとき報知を行い、使用者にバックライト２４の明るさが暗くなったことを知らせるものである。
【００４２】
図４は本実施例の回路図であり、発光ダイオード４１、４２は、バックライト２４を構成するもので、液晶表示素子２３の後面に設置している。マイコン１９は、第二のバックライト制御手段３９も構成しており、ＩＨ制御用ＩＣ３３へ第二の出力電圧Ｖ２を供給しているときは、発光ダイオード４１、４２を点灯させ、ＩＨ制御用ＩＣ３３へ第二の出力電圧Ｖ２の供給を止めているときは、発光ダイオード４１のみを点灯し、発光ダイオード４２を消灯することによりバックライト２４の明るさを暗くし、待機時の消費電力を低減するようにしている。
【００４３】
ブザー３８は、第二の報知手段４０を構成するもので、マイコン１９により発光ダイオード４２を消灯させたとき鳴動し、使用者に注意を喚起するようにしている。他の構成は上記実施例１と同じであり、同一符号を付して説明を省略する。
【００４４】
上記構成において動作を説明する。なお、炊飯、保温動作を行う場合の動作は、２個の発光ダイオード４１、４２を点灯させる以外は、上記実施例１の動作と同じであるので説明を省略する。
【００４５】
炊飯や保温終了後、待機状態になると、すぐにまたは待機状態になってから一定時間後に、マイコン１９より電源ＩＣ３４に信号を出力し、ＩＨ制御用ＩＣ３３への第二の出力電圧Ｖ２の供給を停止して消費電力を低減する。このとき、マイコン１９は、発光ダイオード４１のみを点灯し、発光ダイオード４２を消灯することにより、待機時の消費電力を低減するとともに、ブザー３８を鳴動させて、使用者に注意を喚起する。
【００４６】
このように本実施例によれば、通電切換手段２２を構成する電源ＩＣ３４より第二の出力電圧Ｖ２の電力供給を停止している状態のとき、バックライト２４を構成する発光ダイオード４１のみを点灯し、発光ダイオード４２を消灯することにより、炊飯器が炊飯や保温等の動作を行わない待機状態では、発光ダイオード４２の消費電力を削減することができる。
【００４７】
また、発光ダイオード４１のみを点灯し、発光ダイオード４２を消灯したとき、ブザー３８を鳴動させることにより、発光ダイオード４２が消えることで多少視認性が落ちるので、表示を見るときはより注意して見るよう喚起することができ、使い勝手を向上することができる。
【００４８】
なお、本実施例では、複数の発光ダイオードを点消灯することにより明るさを変化させたが、発光ダイオードに流す電流や印加する電圧を変化させてバックライトの明るさを変化させてもよく、同様の作用効果を得ることができる。
【００４９】
（実施例３）
図５に示すように、第三のバックライト制御手段４３は、通電切換手段２２が駆動手段１６への第二の出力電圧Ｖ２の電力供給を停止している状態のとき、バックライト２４の色を消費電力が少ない色に変化させることによって待機時の消費電力を低減するものである。第三の報知手段４４は、バックライト２４の色が変化したとき報知を行い、使用者にバックライト２４の色が変化したことを知らせるものである。
【００５０】
図６は本実施例の回路図であり、赤色の発光ダイオード４５、４６と緑色の発光ダイオード４７、４８は、バックライト２４を構成するもので、液晶表示素子２３の後面に設置している。同じ明るさにする場合は、赤色発光ダイオードの方が緑色発光ダイオードよりも少ない電流で済み、結果として消費電力も少なくなる。
【００５１】
マイコン１９は、第三のバックライト制御手段４３も構成しており、ＩＨ制御用ＩＣ３３へ第二の出力電圧Ｖ２を供給しているときは、赤色の発光ダイオード４５、４６を消灯し、緑色の発光ダイオード４７、４８を点灯し、ＩＨ制御用ＩＣ３３への第二の出力電圧Ｖ２の供給を止めているときは、赤色の発光ダイオード４５、４６を点灯し、緑色の発光ダイオード４７、４８を消灯するようにしている。
【００５２】
ブザー３８は、第三の報知手段４４を構成するもので、マイコン１９により赤色の発光ダイオード４５、４６を点灯し、緑色の発光ダイオード４７、４８を消灯させたとき鳴動し、使用者に注意を喚起するようにしている。他の構成は上記実施例１と同じであり、同一符号を付して説明を省略する。
【００５３】
上記構成において動作を説明する。なお、炊飯、保温動作を行う場合の動作は、赤色の発光ダイオード４５、４６を消灯し、緑色の発光ダイオード４７、４８を点灯している以外は、上記実施例１の動作と同じであるので説明を省略する。
【００５４】
炊飯や保温終了後、待機状態になると、すぐにまたは待機状態になってから一定時間後に、マイコン１９より電源ＩＣ３４に信号を出力し、ＩＨ制御用ＩＣ３３への第二の出力電圧Ｖ２の供給を停止して消費電力を低減する。このとき、マイコン１９は、赤色の発光ダイオード４５、４６を点灯し、緑色の発光ダイオード４７、４８を消灯することにより、待機時の消費電力を低減するとともに、ブザー３８を鳴動させて、使用者に注意を喚起する。
【００５５】
このように本実施例によれば、通電切換手段２２を構成する電源ＩＣ３４より第二の出力電圧Ｖ２の電力供給を停止している状態のとき、バックライト２４を構成する赤色の発光ダイオード４５、４６を点灯し、緑色の発光ダイオード４７、４８を消灯することにより、炊飯器が炊飯や保温等の動作を行わない待機状態では、発光ダイオードの消費電力を削減することができる。
【００５６】
また、赤色の発光ダイオード４５、４６を点灯し、緑色の発光ダイオード４７、４８を消灯したとき、ブザー３８を鳴動させることにより、バックライトの色の変化で多少視認性が落ちたとき、表示を見るときはより注意して見るよう喚起することができ、使い勝手を向上することができる。
【００５７】
なお、本実施例では、複数の発光ダイオードを点消灯することにより、色を変化させているが、１素子で色を変えることのできる２色発光ダイオードなどを使用してもよく、同様の作用効果を得ることができる。
【００５８】
（実施例４）
図７に示すように、第四のバックライト制御手段４９は、通電切換手段２２が駆動手段１６へ第二の出力電圧Ｖ２を供給しているときは、バックライト２４を点灯させ、通電切換手段２２が駆動手段１６への第二の出力電圧Ｖ２の供給を停止しているときは、バックライト２４を点滅させて、待機時の消費電力を低減するものである。第四の報知手段５０はバックライト２４が点滅したときに報知を行い、使用者にバックライト２４が点滅していること知らせるものである。他の構成は上記実施例１と同じであり、同一符号を付して説明を省略する。
【００５９】
上記構成において動作を説明する。なお、炊飯、保温動作を行う場合の動作は上記実施例１の動作と同じであるので説明を省略する。
【００６０】
炊飯や保温終了後、待機状態になると、すぐにまたは待機状態になってから一定時間後に、通電切換手段２２が駆動手段１６への第二の出力電圧Ｖ２の供給を停止して消費電力を低減する。このとき、第四のバックライト制御手段４９は、バックライト２４を点滅させて、待機時の消費電力を低減するとともに、第四の報知手段５０により報知を行い、使用者に注意を喚起する。
【００６１】
このように本実施例によれば、通電切換手段２２が第二の出力電圧Ｖ２の電力供給を停止している状態のときバックライト２４を点滅させることにより、炊飯器が炊飯や保温等の動作を行わない待機状態では、バックライト２４の点灯時間を短くでき、バックライト２４の消費電力を低減することができる。
【００６２】
また、バックライト２４を点滅させたとき、第四の報知手段５０により報知音を鳴らすことにより、バックライト２４の点滅により多少視認性が落ちたとき、表示を見るときはより注意して見るよう喚起することができ、使い勝手を向上することができる。
【００６３】
（実施例５）
図８に示すように、第五のバックライト制御手段５１は、通電切換手段２２が駆動手段１６へ第二の出力電圧Ｖ２を供給しているときは、バックライト２４を点灯時間が長い点滅をさせ、通電切換手段２２が駆動手段１６への第二の出力電圧Ｖ２の供給を停止しているときは、バックライト２４を点灯時間が短い点滅をさせて、待機時の消費電力を低減するものである。第五の報知手段５２はバックライト２４の点滅時間が変化したとき報知を行い、使用者にバックライト２４の点滅が変化していることを知らせるものである。他の構成は上記実施例１または４と同じであり、同一符号を付して説明を省略する。
【００６４】
上記構成において動作を説明する。なお、炊飯、保温動作を行う場合の動作は、バックライト２４を点灯時間が長い点滅をさせる以外は、上記実施例１の動作と同じであるので説明を省略する。
【００６５】
炊飯や保温終了後、待機状態になると、すぐにまたは待機状態になってから一定時間後に、通電切換手段２２が駆動手段１６への第二の出力電圧Ｖ２の供給を停止して消費電力を低減する。このとき、第五のバックライト制御手段５１は、バックライト２４を点灯時間が短い点滅をさせて、待機時の消費電力を低減するとともに、第五の報知手段５２により報知を行い、使用者に注意を喚起する。
【００６６】
このように本実施例によれば、通電切換手段２２が第二の出力電圧Ｖ２の電力供給を停止している状態のときバックライト２４を点灯時間が短い点滅をさせることにより、炊飯器が炊飯や保温等の動作を行わない待機状態では、バックライト２４の消費電力を低減することができる。
【００６７】
また、バックライト２４の点滅周期を変更しバックライト２４が消灯している時間を長くしたとき、第五の報知手段５２により報知音を鳴らすことにより、バックライト２４の点灯している時間が短くなったことにより多少視認性が落ちたとき、表示を見るときはより注意して見るよう喚起することができ、使い勝手を向上することができる。
【００６８】
【発明の効果】
以上のように本発明は請求項１に記載の発明によれば、通電切換手段が第二の出力電圧Ｖ２の電力供給を停止している状態のとき、第一のバックライト制御手段によりバックライトを消灯することにより、炊飯器が炊飯や保温等の動作を行わず、炊飯器内の電子回路に供給する不要な電力を停止している待機状態のとき、バックライトを消灯することで、バックライトの消費電力を削減することができ、省エネルギ能力の高い炊飯器を得ることができる。
【００６９】
また、請求項２に記載の発明によれば、第一のバックライト制御手段によりバックライトを消灯したとき、報知音を鳴らす第一の報知手段を付加することにより、バックライトが消えたことを報知し、バックライトが消えることで多少視認性が落ちるので、表示を見るときはより注意して見るよう喚起することができ、使い勝手を向上することができる。
【００７０】
また、請求項３に記載の発明によれば、通電切換手段が第二の出力電圧Ｖ２の電力供給を停止している状態のとき、第二のバックライト制御手段によりバックライトの明るさを暗くすることにより、炊飯器が炊飯や保温等の動作を行わず、炊飯器内の電子回路に供給する不要な電力を停止している待機状態のとき、バックライトの明るさを調整することで、消費電力を低減することができ、省エネルギ能力の高い炊飯器を得ることができる。
【００７１】
また、請求項４に記載の発明によれば、第二のバックライト制御手段によりバックライトの明るさを暗くしたとき、報知音を鳴らす第二の報知手段を付加することにより、バックライトが暗くなったことを報知し、バックライトが暗くなったことで多少視認性が落ちるので、表示を見るときはより注意して見るよう喚起することができ、使い勝手を向上することができる。
【００７２】
また、請求項５に記載の発明によれば、通電切換手段が第二の出力電圧Ｖ２の電力供給を停止している状態のとき、第三のバックライト制御手段によりバックライトの色を変化させることにより、炊飯器が炊飯や保温等の動作を行わず、炊飯器内の電子回路に供給する不要な電力を停止している待機状態のとき、バックライトの色を点灯するのに電力消費の少ない色に変化させることで、バックライトの消費電力を低減することができ、省エネルギ能力の高い炊飯器を得ることができる。
【００７３】
また、請求項６に記載の発明によれば、第三のバックライト制御手段によりバックライトの色を変化させたとき、報知音を鳴らす第三の報知手段を付加することにより、バックライトの色が変わったことを報知し、バックライトの色の変化で多少視認性が落ちたとき、表示を見るときはより注意して見るよう喚起することができ、使い勝手を向上することができる。
【００７４】
また、請求項７に記載の発明によれば、通電切換手段が第二の出力電圧Ｖ２の電力供給を停止している状態のとき、第四のバックライト制御手段によりバックライトを点滅させることにより、炊飯器が炊飯や保温等の動作を行わず、炊飯器内の電子回路に供給する不要な電力を停止している待機状態のとき、バックライトを点滅させることで、バックライトの点灯時間を短くでき、バックライトの消費電力を低減することができ、省エネルギ能力の高い炊飯器を得ることができる。
【００７５】
また、請求項８に記載の発明によれば、第四のバックライト制御手段によりバックライトを点滅させたとき、報知音を鳴らす第四の報知手段を付加することにより、バックライトが点滅したことを報知し、バックライトの点滅により多少視認性が落ちたとき、表示を見るときはより注意して見るよう喚起することができ、使い勝手を向上することができる。
【００７６】
また、請求項９に記載の発明によれば、通電切換手段が第二の出力電圧Ｖ２の電力供給を停止している状態のとき、第五のバックライト制御手段によりバックライトの点滅周期を変更しバックライトが消灯している時間を長くすることにより、炊飯器が炊飯や保温等の動作を行わず、炊飯器内の電子回路に供給する不要な電力を停止している待機状態のとき、バックライトの点滅周期を変えることで、バックライトの点灯時間を短くでき、バックライトの消費電力を低減することができ、省エネルギ能力の高い炊飯器を得ることができる。
【００７７】
また、請求項１０に記載の発明によれば、第五のバックライト制御手段によりバックライトの点滅周期を変更しバックライトが消灯している時間を長くしたとき、報知音を鳴らす第五の報知手段を付加することにより、バックライトの点滅周期が変化していることを報知し、バックライトの点灯している時間が短くなったことにより多少視認性が落ちたとき、表示を見るときはより注意して見るよう喚起することができ、使い勝手を向上することができる。
【図面の簡単な説明】
【図１】本発明の第１の実施例の炊飯器のブロック図
【図２】同炊飯器の回路図
【図３】本発明の第２の実施例の炊飯器のブロック図
【図４】同炊飯器の回路図
【図５】本発明の第３の実施例の炊飯器のブロック図
【図６】同炊飯器の回路図
【図７】本発明の第４の実施例の炊飯器のブロック図
【図８】本発明の第５の実施例の炊飯器のブロック図
【図９】従来の炊飯器の回路図
【符号の説明】
１４　内鍋
１５　加熱手段
１６　駆動手段
１７　商用電源
１８　電源供給手段
１９　マイクロコンピュータ
２０　入力手段
２１　バックアップ手段
２２　通電切換手段
２３　液晶表示素子
２４　バックライト
２５　第一のバックライト制御手段
【図１】
2004141542.tif 000003
【図２】
2004141542.tif 000004
【図３】
2004141542.tif 000005
【図４】
2004141542.tif 000006
【図５】
2004141542.tif 000007
【図６】
2004141542.tif 000008
【図７】
2004141542.tif 000009
【図８】
2004141542.tif 000010
【図９】
2004141542.tif 000011